(57)【要約】【課題】天井が完成した後におけるスプリンクラー装置の施工及びメンテナンスを容易にすることができる、スプリンクラー装置のための固定装置及び固定方法を提供する【解決手段】本発明による固定装置(10)は、野縁(6,7)に固定される一対の棒状部材(12,14)と、一対の棒状部材(12,14)を橋渡しするように一対の棒状部材(12,14)に固定された取付け部材(20)を有し、取付け部材(20)にスプリンクラーヘッド(26)と、スプリンクラー配管(28)が固定される。取付け部材(20)は、上記取付け位置から、一対の棒状部材(12,14)の間を開放する開放位置に移動可能である。それにより、天井パネル(4)の下側から、取付け部材(20)よりも上側に位置する配管作業箇所(42)にアクセスすることを容易にする。【選択図】図２
2010158469.tif 000002
【特許請求の範囲】
【請求項１】
スプリンクラー装置を、天井パネルの下側からの作業によって天井パネルに対して固定することを可能にする固定装置であって、
天井パネルを上側から保持する天井パネル保持部に固定され且つ互い平行に長手方向に延びる一対の棒状部材と、前記一対の棒状部材の間を橋渡しするように前記一対の棒状部材の予め決められた取付け位置に取付けられ且つ固定される取付け部材を有し、
前記一対の棒状部材は、スプリンクラー装置からの散水及びその取付けのために天井パネルに形成される開口の上を横切るように前記開口の一方の側から他方の側に延び、前記取付け部材の少なくとも一部分は、前記開口の上に位置し、
スプリンクラー装置は、前記取付け部材の下側に配置されるスプリンクラーヘッドと、前記スプリンクラーヘッドに向かって前記取付け部材の上側から下側に延び且つ前記取付け部材に固定されるスプリンクラー配管とを有し、前記スプリンクラー配管は、前記取付け部材よりも上側に位置する配管作業箇所を有し、
前記配管作業箇所への天井パネルの下側からのアクセスを容易にするために、前記取付け部材は、前記取付け位置から前記一対の棒状部材の間を開放する開放位置に移動可能であり、
更に、前記取付け部材を前記取付け位置に案内する案内手段を有することを特徴とする、固定装置。
【請求項２】
前記案内手段は、前記棒状部材上における前記取付け部材の前記長手方向及びそれと垂直な橋渡し方向の移動を規制する規制手段を有することを特徴とする請求項１に記載の固定装置。
【請求項３】
前記案内手段は、前記取付け部材を前記棒状部材に対して回動可能に支持する回動手段であることを特徴とする請求項１に記載の固定装置。
【請求項４】
前記取付け部材及び前記スプリンクラー配管は、前記開口を通して天井パネルの下側から上側に導入することが可能であることを特徴とする、請求項１〜３のいずれか１項に記載の固定装置。
【請求項５】
更に、前記開口を下側から覆うカバーと、前記カバーを前記天井パネルに向かって押付けるために、前記カバーと前記取付け部材との間に配置された引張りばねと、を有することを特徴とする請求項１〜４のいずれか１項に記載の固定装置。
【請求項６】
スプリンクラー装置を、天井パネルの下側からの作業によって天井パネルに対して固定する固定方法であって、
天井パネル保持部によって上側から保持された天井パネルの下側から、スプリンクラー装置からの散水及びその取付けのための開口を天井パネルに形成する工程と、
長手方向に延びる一対の棒状部材を前記開口を通して天井パネルの上側に導入して、前記開口の上を横切るように天井パネル保持部に固定する工程と、
取付け部材を前記開口を通して天井パネルの上側に導入して、前記天井パネル裏側に仮置きする工程と、
前記取付け部材に固定すべきスプリンクラー装置の継手を、前記開口を通して天井パネルの上側に導入する工程と、
前記継手を前記取付け部材に仮固定する工程と、
スプリンクラー装置の配管を前記継手に接続する作業を、前記天井パネルの下側から行う工程と、
前記配管の作業後、前記棒状部材上における前記取付け部材の前記長手方向及びそれと垂直な橋渡し方向の移動を規制する規制手段により、前記取付け部材を前記一対の棒状部材の予め決められた取付け位置に取外し可能に取付け且つ固定する工程と、
前記取付け部材を前記取付け位置に固定した後、仮固定されていた前記継手を前記取付け部材に固定する工程と、を有することを特徴とする固定方法。
【請求項７】
前記継手を前記取付け部材に仮固定する工程の後、前記取付け部材及び前記継手を前記開口を通して天井パネルの上側に導入して、前記天井パネル裏側に仮置きする工程を行うことを特徴とする、請求項６に記載の固定方法。
【請求項８】
前記継手が前記取付け部材に仮固定されている間、前記継手は前記取付け部材に対して回転可能であることを特徴とする、請求項６に記載の固定方法。
【発明の詳細な説明】
【技術分野】
【０００１】
本発明は、スプリンクラー装置を天井パネルに対して固定するための固定装置及び固定方法に関し、更に詳細には、スプリンクラー装置を、天井パネルの下側からの作業によって天井パネルに対して固定することが可能な固定装置及び固定方法に関する。
【背景技術】
【０００２】
火災を自動的に検出して天井等から散水するスプリンクラー装置が知られている。スプリンクラー装置は、水を噴射するスプリンクラーヘッドと、スプリンクラーヘッドに水を供給するために天井パネルの上側に通されるスプリンクラー配管とを有している。具体的には、スプリンクラー配管の大部分は、吊り具等によって吊られ、スプリンクラーヘッド及びその周囲のスプリンクラー配管は、天井パネルを上側から支持するために互いに平行に配置された野縁に固定装置を介して固定されている（例えば、特許文献１〜４参照）。スプリンクラー装置を天井パネルに対して固定する作業は、一般には、天井パネルを野縁に取付けて天井を完成させる前に行われるので、作業スペース及び視野が十分に確保されている。
【先行技術文献】
【特許文献】
【０００３】
【特許文献１】実公昭第５５−２３５６０号公報（図１）
【特許文献２】特開平第７−１５１２６９号公報（図１）
【特許文献３】特開２００３−２１０６０４号公報（図５）
【特許文献４】特開２００５−３１９２７８号公報（図１）
【発明の概要】
【発明が解決しようとする課題】
【０００４】
近年、天井を完成させた後に、スプリンクラー装置を追加する作業が増加している。これは、防災意識の高まり、及び、スプリンクラー装置が設置されていない既存施設への、法改正によるスプリンクラー装置の設置の義務付け等が理由である。
【０００５】
天井の完成後に、従来と同様のスプリンクラー装置を天井パネルに対して固定する作業を行う場合、作業スペース及び視野を確保するために、多数の天井パネルを外す必要があった。このため、固定作業は、かなり手間がかかっていた。
【０００６】
また、天井の完成後に、スプリンクラー装置を点検する場合、点検するための視野を確保するために、多数の天井パネルを外して、少なくとも作業者の上半身を天井の上側に入れる必要があった。更に、スプリンクラー装置の修理や交換が必要な場合、更に、天井パネルを外す必要があった。このため、点検、修理、交換作業は、かなり手間がかかっていた。
【０００７】
そこで、本発明の目的は、天井が完成した後におけるスプリンクラー装置の施工及びメンテナンスを容易にすることができる、スプリンクラー装置のための固定装置及び固定方法を提供することにある。
【課題を解決するための手段】
【０００８】
上記課題を解決するために、本発明による固定装置は、スプリンクラー装置を、天井パネルの下側からの作業によって天井パネルに対して固定することを可能にする固定装置であって、天井パネルを上側から保持する天井パネル保持部に固定され且つ互い平行に長手方向に延びる一対の棒状部材と、一対の棒状部材の間を橋渡しするように一対の棒状部材の予め決められた取付け位置に取付けられ且つ固定される取付け部材を有し、一対の棒状部材は、スプリンクラー装置からの散水及びその取付けのために天井パネルに形成される開口の上を横切るように開口の一方の側から他方の側に延び、取付け部材の少なくとも一部分は、開口の上に位置し、スプリンクラー装置は、取付け部材の下側に配置されるスプリンクラーヘッドと、スプリンクラーヘッドに向かって取付け部材の上側から下側に延び且つ取付け部材に固定されるスプリンクラー配管とを有し、スプリンクラー配管は、取付け部材よりも上側に位置する配管作業箇所を有し、配管作業箇所への天井パネルの下側からのアクセスを容易にするために、取付け部材は、取付け位置から一対の棒状部材の間を開放する開放位置に移動可能であり、更に、取付け部材を取付け位置に案内する案内手段を有することを特徴としている。
【０００９】
このように構成された本発明による固定装置では、天井が完成した後、天井パネルに設けた開口を利用して、スプリンクラー装置を天井パネル保持部に固定することができる。詳細には、開口の上に位置し且つスプリンクラー装置が固定される取付け部材は、一対の棒状部材の間を橋渡しするように一対の棒状部材に取付けられ且つ固定された取付け位置から、一対の棒状部材の間を開放する開放位置に移動可能である。それにより、開口から取付け部材の上側、即ち、裏側へのアクセス経路を、一対の棒状部材の間に確保することができる。かくして、取付け部材の上側に位置する配管作業箇所における作業を、天井パネルの開口から行うことができる。その結果、天井パネルを必ずしも外す必要がなくなり、スプリンクラー装置の固定作業を、従来の固定装置よりも容易に行うことができる。また、同様に、メンテナンス作業も、従来の固定装置よりも容易に行うことができる。また、取付け部材を取付け位置に案内する案内手段を有しているので、取付け部材を取付け位置に容易に取付けたり戻したりすることができ、取付け位置以外の位置に固定されることを防止できる。
【００１０】
本発明の固定装置において、好ましくは、案内手段は、棒状部材上における取付け部材の長手方向及びそれと垂直な橋渡し方向の移動を規制する規制手段を有していてもよいし、取付け部材を棒状部材に対して回動可能に支持する回動手段であってもよい。
【００１１】
本発明の固定装置において、好ましくは、取付け部材及びスプリンクラー配管は、開口を通して天井パネルの下側から上側に導入することが可能である。
【００１２】
このように構成された本発明による固定装置では、天井パネルを外すことなしに、取付け部材及びスプリンクラー配管を天井パネルの上側、即ち、裏側に導入することができるので、天井パネルを外すことなしに、スプリンクラー装置を天井パネルに固定することが可能である。
【００１３】
本発明の固定装置において、好ましくは、更に、開口を下側から覆うカバーと、カバーを天井パネルに向かって押付けるために、カバーと取付け部材との間に配置された引張りばねと、を有する。
【００１４】
このように構成された固定装置では、スプリンクラーヘッドに対して大きく形成された開口を、見た目良く覆うことができる。逆にいえば、開口を大きくして、アクセス経路を広くすることにより、作業性を向上させることができる。
【００１５】
また、上記目的を達成するために、本発明による固定方法は、スプリンクラー装置を、天井パネルの下側からの作業によって天井パネルに対して固定する固定方法であって、天井パネル保持部によって上側から保持された天井パネルの下側から、スプリンクラー装置からの散水及びその取付けのための開口を天井パネルに形成する工程と、長手方向に延びる一対の棒状部材を、開口を通して天井パネルの上側に導入して、開口の上を横切るように天井パネル保持部に固定する工程と、取付け部材を開口を通して天井パネルの上側に導入して、天井パネル裏側に仮置きする工程と、取付け部材に固定すべきスプリンクラー装置の継手を、開口を通して天井パネルの上側に導入する工程と、継手を取付け部材に仮固定する工程と、スプリンクラー装置の配管を継手に接続する作業を、前記天井パネルの下側から行う工程と、配管の作業後、棒状部材上における取付け部材の長手方向及びそれと垂直な橋渡し方向の移動を規制する規制手段により、取付け部材を一対の棒状部材の予め決められた取付け位置に取外し可能に取付け且つ固定する工程と、取付け部材を取付け位置に固定した後、仮固定されていた継手を取付け部材に固定する工程と、を有することを特徴としている。
【００１６】
このように構成された本発明による固定装置では、天井が完成した後、天井パネルに設けた開口を利用して、スプリンクラー装置を天井パネル保持部に固定することができる。詳細には、開口の上に位置し且つスプリンクラー装置が固定される取付け部材は、一対の棒状部材の予め決められた取付け位置に取外し可能に取付けられ且つ固定されるので、取付け部材を、一対の棒状部材から取外して天井パネルの裏側に仮置きしておくことができる。それにより、開口から取付け部材の上側、即ち、裏側へのアクセス経路を確保することができる。かくして、取付け部材の上側に位置する配管作業箇所における作業を、天井パネルの開口から行うことができる。その結果、天井パネルを必ずしも外す必要がなくなり、スプリンクラー装置の固定作業を、従来の固定装置よりも容易に行うことができる。また、同様に、メンテナンス作業も、従来の固定装置よりも容易に行うことができる。また、棒状部材上における取付け部材の長手方向及びそれと垂直な橋渡し方向の移動を規制する規制手段を有しているので、取付け部材を取付け位置に容易に取付けることができ、取付け位置以外の位置に固定されることを防止できる。
【００１７】
本発明の固定方法において、好ましくは、継手を取付け部材に仮固定する工程の後、取付け部材及び継手を開口を通して天井パネルの上側に導入して、天井パネル裏側に仮置きする工程を行う。
【００１８】
このように構成された固定方法によれば、継手を取付け部材に仮固定してから、開口を通して、天井パネルの上側に導入するので、継手を取付け部材に仮固定する工程を天井パネルの下側で行うことができる。
【００１９】
本発明の固定方法において、好ましくは、継手が取付け部材に仮固定されている間、継手は取付け部材に対して回転可能である。
【００２０】
このように構成された固定方法によれば、継手に接続されるスプリンクラー配管の向きに応じて、継手が回転し、その後、最も適当な向きで継手を固定することができる。
【発明の効果】
【００２１】
以上説明したように、本発明によるスプリンクラー装置のための固定装置及び固定方法によれば、天井が完成した後におけるスプリンクラー装置の施工及びメンテナンスを容易にすることができる。
【図面の簡単な説明】
【００２２】
【図１】住宅用のスプリンクラー装置の配管の一例の概略図である。
【図２】スプリンクラー装置のための固定構造を示す正面図である。
【図３】図２に示す固定構造の平面図である。
【図４】図２の線IV−IVにおける断面図である。
【図５】図２の線V−Vにおける断面図である。
【図６】締付け具の拡大斜視図である。
【図７】取付け部材を一方の側にずらした図２と同様の図である。
【図８】変形例の取付け部材及び案内手段を示す図４と同様の断面図である。
【図９】変形例の取付け部材及び案内手段を示す正面図である。
【図１０】木製の野縁に取付けられる本発明による固定装置を示す正面図である。
【発明を実施するための形態】
【００２３】
図面を参照して、スプリンクラー装置のための本発明による固定装置の実施形態を説明する。図１は、住宅用のスプリンクラー装置の配管の一例の概略図である。図２は、スプリンクラー装置のための固定構造を示す正面図である。図３は、図２に示す固定構造の平面図である。図４は、図２の線IV−IVにおける断面図であり、図５は、図２の線V−Vにおける断面図であり、図６は、締付け具の拡大斜視図である。
【００２４】
図１に示すように、住宅用のスプリンクラー装置のための配管１００は、水道管１０１からの分岐管１０２に止水栓１０３を介して取付けられた分岐ヘッダー１０４と、分岐ヘッダー１０４から停滞水防止継手１０５を介してトイレのタンク１０６まで延びるスプリンクラー配管１０７と、停滞水防止継手１０５に取付けられたスプリンクラーヘッド１０８とを有している。スプリンクラー配管１０７は、主に、天井パネル１０９の上側、即ち、裏側を通っている。
【００２５】
止水栓１０３が開いているとき、トイレの使用のたびに、スプリンクラー配管１０７の中を水が流れ、スプリンクラー装置が火災を感知したとき、停滞水防止継手１０５を介してスプリンクラーヘッド１０８から散水される。
【００２６】
図２〜図５に示すように、スプリンクラー装置のための固定構造１は、スプリンクラー装置２を、天井パネル４の下側からの作業によって天井パネル４に対して固定することが可能であり、スプリンクラー装置２と、天井パネル４と、天井パネル４を上側から保持する野縁６、７と、スプリンクラー装置２からの散水及びその取付けのために天井パネル４に形成される開口８と、本発明による固定装置の実施形態である固定装置１０とを有している。
【００２７】
天井パネル４は、例えば、石膏ボード、コンパネ等で作られた厚さが約９〜２５ｍｍの板材である。天井パネル４は、野縁６、７に木ネジ、ビス等によって固定されている。
【００２８】
野縁６、７は、互いに平行に天井パネル４に沿って延びる複数の棒状の部材である。野縁６、７は、引掛け部を有するアルミ材で作られていることが好ましい。野縁６、７はそれぞれ、開口６ａ、７ａを有する上面６ｂ、７ｂと、開口６ａ、７ａに設けられ且つ後述する締付け具５６を引掛けるための引掛け部６ｃ、７ｃを有している。
【００２９】
開口８の形状及び寸法は、後述するスプリンクラー装置２の固定作業及びメンテナンス作業を行うことができれば、任意である。例えば、開口８は、円形であり、その直径は、２５０〜３００ｍｍである。
【００３０】
固定装置１０は、野縁６、７に固定される一対の棒状部材１２、１４を有している。詳細には、一対の棒状部材１２、１４は、互いに間隔をおいて平行に配置された矩形断面の２本の棒状部材である。棒状部材１２、１４は、軽量化のために、中空であることが好ましい。棒状部材１２、１４はまた、隣り合った野縁６、７の一方の野縁６の上から他方の野縁７の上に延びている。
【００３１】
また、固定装置１０は、後で詳細に説明するように、一対の棒状部材１２、１４の間を橋渡しするように一対の棒状部材１２、１４の予め決められた取付け位置に取付けられ且つ固定される取付け部材２０を有している。取付け部材２０は、例えば、アルミニウム又はステンレスの板材で作られる。取付け部材２０は、例えば、一対の棒状部材１２、１４にねじ等（図示せず）で固定されるが、固定されていないとき、上記取付け位置から一対の棒状部材１２、１４の間を開放する開放位置（例えば、天井パネルの上）に移動可能である。
【００３２】
取付け部材２０は、スプリンクラー装置２を固定するための下面２０ａ、上面２０ｂ、及び貫通孔２４を有している。貫通孔２４は、取付け部材２０の中央に設けられている。貫通孔２４は、一対の棒状部材１２、１４を橋渡しする方向Ｂに長孔になっていることが好ましい。また、取付け部材２０は、引張りばね４６（後述）の一方の端部を支持するために上側に延びる延長部２０ｃを有している。
【００３３】
スプリンクラー装置２は、取付け部材２０の下側に配置されるスプリンクラーヘッド２６と、スプリンクラーヘッド２６に向かって取付け部材２０の上側から下側に延び且つ取付け部材２０に固定されるスプリンクラー配管２８とを有している。詳細には、スプリンクラー配管２８は、大部分が取付け部材２０の上側に位置した状態で固定された配管接続部３０と、天井パネルに沿って延びる樹脂製のホース３２を有している。
【００３４】
配管接続部３０は、好ましくは、停滞水防止継手である。停滞水防止継手３０は、概略的には、Ｔ字形をなし、下側に延びる下側管状部分３０ａと、側方に延びる２つの側方管状部分３０ｂとを有している。下側管状部分３０ａは、取付け部材２０の上面２０ｂと当接する段付き部３０ｃと、且つ取付け部材２０の貫通孔２４の中を下側に延びる延長部３０ｄを有している。延長部３０ｄは、散水機構を備えたスプリンクラーヘッド２６がねじ込まれる雌ネジ部３０ｅと、停滞水防止継手３０を取付け部材２０に締付け固定するためのナット３０ｆが螺合する雄ネジ部３０ｇとを有している。スプリンクラーヘッド２６は、延長部分３０ｄに当接して位置決めされることが好ましい。停滞水防止継手３０は、それがナット３０ｆによって取付け部材２０に完全に締付け固定されていない状態、即ち、仮固定された状態で、貫通孔２４を中心に回転可能である。
【００３５】
２つの側方管状部分３０ｂは、停滞水防止継手３０が取付け部材２０に固定されている状態において、概略的には、一方の野縁の側６と他方の野縁７の側に向けられ、かくして、一方の野縁６の側に向けられた接続ポート３４ａと、他方の野縁７の側に向けられた接続ポート３４ｂとを有している。
【００３６】
樹脂製のホース３２は、さや管３６に入れられていることが好ましく、防災継手３８等を介して、接続ポート３４ａ、３４ｂに接続されている。また、停滞水防止継手３０及びそれとホース３２との接続部の周りに、保温カバー４０が設けられていることが好ましい。保温カバー４０は、２つ割りになっており、停滞水防止継手３０を挟むように覆うことが可能である。保温カバー４０は、例えば、発泡ポリスチレンで作られている。
【００３７】
スプリンクラー配管２８は、取付け部材２０よりも上側に位置するいくつかの箇所に、配管作業を行う配管作業箇所４２を有している。本実施形態では、配管作業箇所４２は、停滞水防止継手３０を取付け部材に取付ける箇所３０ｃ、樹脂製のホースを防災継手３８を介して接続ポート３４ａ、３４ｂに接続する箇所、保温カバー４０を取付ける箇所等である。
【００３８】
固定装置１０は、更に、天井パネル４の開口８を下側から覆う下カバー４４と、下カバー４４を天井パネル４に向かって押付けるために、下カバー４４と取付け部材２０の延長部２０ｃとの間に配置された引張りばね４６とを有している。下カバー４４は、天井パネル４に下側から当接可能な環状部４４ａと、開口８をあけたときに生じ且つ環状部４４ａの内側に配置された円形のパネル部分４４ｂと、パネル部分４４ｂにあけられた中央孔を閉鎖するコンシールド４４ｃとを有していることが好ましい。
【００３９】
棒状部材１２、１４は、レバー式の締付け具５６によって野縁６、７に押付けられるように固定されている。レバー式の締付け具５６は、レバーを回動させることによって、棒状部材１２、１４を野縁６、７の上面６ｂに押付けて固定する種類のものであることが好ましい。具体的には、図５に示すように、締付け具５６は、回動軸線５６ｃを中心に互いに回動可能に取付けられた回動レバー５６ａと、引掛け部５６ｂとを有している。回動レバー５６ａは、回動軸線５６ｃの近くに設けられた脚部５６ｄを有し、それから一方の方向に延びている。
【００４０】
脚部５６ｄは、棒状部材１２、１４の上を転動且つ摺動可能である。脚部５６ｄの輪郭は、回動レバー５６ａを上側から棒状部材１２、１４に近づけるように回動させたときに、引掛け部６ｃを引っ張る力が増大するように回動軸線５６ｃと当接箇所との間の距離が増大し、且つ、回動レバー５６を更に回動させたときに、かかる距離が減少するように定められている。本実施形態では、回動レバー５６ａが水平方向に向けられたときに、かかる距離は最大になる。
【００４１】
引掛け部５６ｂは、折り曲げられた棒材からなり、回動軸線５６ｃ一方の側から下側に延びる第１の側部５６ｅと、回動軸線５６ｃの他方の側から下側に延びる第２の側部５６ｆと、第１の側部の端部と第２の側部の端部とをほぼ横方向に連結するループ部５６ｇとを有している。第１の側部５６ｅ及び第２の側部５６ｆは、Ｊ字形に延び、即ち、回動軸線５６ｃから下側に延びた後、回動レバー５６ａが回動軸線５６ｃから延びる方向と反対方向に少し上側に延びている。回動レバー５６ａ、第１の側部５６ｅ、第２の側部５６ｆ及びループ部５６ｇによって囲まれる空間は、その中を棒状部材１２、１４が通り抜けることができる形状及び大きさであることが好ましい。締付け具５６の引掛け部５６ｂは、野縁６、７の引掛け部６ｃ、７ｃに引掛けられる。
【００４２】
更に、固定装置１０は、野縁６に固定されるブラケット６４を有していることが好ましい。ブラケット６４は、野縁６に引掛けることが可能な上側水平部６４ａと、野縁６に側方から当接する垂直部６４ｂと、棒状部材１２、１４を載せることができる上面６４ｄを有する下側水平部６４ｃとを有している。垂直部６４ｂは、ブラケット６４を野縁６に側方からねじで留めるための孔６４ｅを有している。
【００４３】
ブラケット６４は、更に、一対の棒状部材１２、１４が延びる方向と垂直な方向、即ち、野縁６が延びる方向（野縁方向）Ｂに一対の棒状部材１２、１４が移動することを規制する規制部を有している。具体的には、ブラケット６４は、垂直部６４ｂから上側に延び且つ野縁方向Ｂに間隔をおいて配置された４つの上向き延長部６４ｆを有しており、上記規制部は、隣接した上向き延長部６４ｆの側縁６５によって構成されている（図５参照）。本実施形態では、隣接した上向き延長部６４ｆの間の距離Ｄは、棒状部材１２、１４の幅Ｗよりも僅かに大きく、かくして、隣接した上向き延長部６４ｆの間に棒状部材１２、１４を配置したときに、棒状部材１２、１４が、予め決められたピッチＰに位置決めされる。また、ブラケット６４の取付け位置が正確であれば、隣接した上向き延長部６４ｆの間に棒状部材１２、１４を配置したときに、棒状部材１２、１４が、野縁方向Ｂに対して垂直な方向に位置決めされる。変形例として、棒状部材１２、１４を上向き延長部６４ｆの側縁６５に当接させることによって、棒状部材１２、１４の野縁方向Ｂの移動を規制してもよい。この場合、中央の上向き延長部６４ｆだけが設けられてもよいし、両側の上向き延長部６４ｆだけが設けられてもよい。
【００４４】
固定装置１０は、更に、取付け部材１０を予め決められた取付け位置に案内する案内手段を有している。具体的には、図４に示すように、一対の棒状部材１２、１４はそれぞれ、長手方向に間隔を隔てた位置に突起４８を有し、取付け部材２０は、それが予め決められた取付け位置に取付けられるときに突起４８に嵌合する孔２０ｄを有している。突起４８及び孔２０ｄが、上記案内手段を構成する。
【００４５】
一対の棒状部材１２、１４、取付け部材２０、締付け具５６、及びスプリンクラー配管２８は、組み立てられた形態で又は分解された形態で、天井パネル４の開口８を通して天井パネル４の下側から上側に導入できることが好ましい。
【００４６】
次に、スプリンクラー装置を天井パネルに固定する方法の一例を説明する。なお、以下に説明する工程の順番を適宜変えてもよい。図７は、取付け部材を一方の側にずらした図２と同様の図である。
【００４７】
野縁６、７によって上側から保持された天井パネル４の下側から、スプリンクラー装置２からの散水のための開口８を天井パネル４に形成する。詳細には、スプリンクラー装置２を設置する箇所を、隣接した野縁６、７の間に決定する。決定した設置箇所を含み、且つ設置に必要な作業開口寸法を考慮した大きさの開口を、天井パネル４の下側からあける。この開口は、スプリンクラー装置２が散水するための開口でもあり、後述するスプリンクラー装置２の固定作業に使用する開口でもある。
【００４８】
次に、ブラケット６４を開口８から天井パネル４の上側に導入し、その上側水平部６４ａを野縁６、７に引掛けると共に、開口８から取付け工具、例えば、電動ドリルを差入れ、ブラケット６４を、垂直部６４ｂの側方から野縁６、７にねじ止め固定する。
【００４９】
次に、さや管３６に通した樹脂製のホース３２を天井パネル４の上に配置する。樹脂製のホース３２は、開口８から導入されてもよいし、他の箇所から導入されてもよい。
【００５０】
次に、停滞水防止継手３０を開口８から天井パネル４の上側に導入し、樹脂性のホース３２と停滞水防止継手３０の接続ポート３４ａ、３４ｂとを防災継手３８を介して接続する。次いで、保温カバー４０を開口８を通して導入し、停滞水防止継手３０の周り及びそれとホース３２との接続部の周りに、保温カバー４０を取付ける。開口８には妨げるものがないのでのかかる接続作業を容易に行うことができる。
【００５１】
次いで、棒状部材１２、１４の両端部に、締付け具５６の引掛け部５６ｂを嵌めておき、一対の棒状部材１２、１４開口８から天井パネル４の上側に導入し、開口８を横切り且つ隣接した野縁の一方６の側から他方７の側に延びるように野縁６、７の上に載せる。このとき、棒状部材１２、１４の両端部をブラケット６４の規制部、即ち、側縁６５によって、棒状部材１２、１４をブラケット６４に対して位置決めし、即ち、棒状部材１２、１４の野縁方向Ｂの移動が阻止される。それにより、棒状部材１２、１４の野縁６への位置決めが一層容易になる。棒状部材１２、１４が所定の場所にピッチＰで位置決めされる。
【００５２】
次いで、一対の棒状部材１２、１４を締付け具５６で野縁６、７に固定する。詳細には、後で取付け部材２０が取付けられるように野縁６、７を位置決めし、締付け具５６のループ部５６ｇを野縁６、７の引掛け部６ｃ、７ｃに引掛け、回動レバー５６ａを上向きから下側に水平方向を越えるまで回動させる。回動レバーは、それが棒状部材１２、１４に当接するまで回動することが可能である。この状態において、引掛け部６ｃ、７ｃが上側に引っ張られると共に、棒状部材１２、１４が野縁６、７に押付けられて固定される。また、回動レバー５６ａが水平方向を越えるまで回動されているので、回動レバー５６ａが上向きに戻ることが防止される。なお、一対の棒状部材１２、１４の相対位置は、後で取付け部材２０が予め決められた取付け位置に取付けられるように定められる。
【００５３】
次いで、取付け部材２０を開口８から天井パネルの上側に導入し、例えば、天井パネル４の裏側に、即ち、天井パネル４の上に仮置きする。
【００５４】
次に、停滞水防止継手３０を、取付け部材２０の上側から下側に延びるように取付け部材２０に仮固定する。詳細には、停滞水防止継手３０の延長部３０ｄを、取付け部材２０の貫通孔２４に通し、ナット３０ｆを延長部３０ｄの雄ネジ部３０ｇに螺合させ、取付け部材２０を締付ける。それにより、停滞水防止継手３０が取付け部材２０に固定される。本実施形態では、ナット３０ｆを完全に締付けない状態、即ち、停滞水継手３０を取付け部材２０に仮固定することが好ましい。それにより、停滞水防止継手３０は、取付け部材２０に対して回転可能である。変形例として、停滞水防止継手３０を開口８から天井パネルの上に導入してホース３２と接続する前に、停滞水防止継手３０を取付け部材２０に仮固定しておき、その後、停滞水防止継手３０及び取付け部材２０を開口８を通して天井パネルの上に導入して、天井パネル４の上に仮置きし、その後、停滞水防止継手３０とホース３２を接続してもよい。
【００５５】
スプリンクラー配管２８の配管作業後、棒状部材１２、１４上における取付け部材２０の長手方向Ａ及びそれと垂直な橋渡し方向Ｂの移動を規制する規制手段により、取付け部材２０を一対の棒状部材１２、１４の予め決められた取付け位置に取外し可能に取付け且つ固定する。具体的には、仮置きしていた固定部材２０を移動させ、取付け部材２０の孔２０ｄを一対の棒状部材１２、１４の突起４８に嵌合させることにより、取付け部材２０の長手方向Ａ及び橋渡し方向Ｂの移動を規制し、取付け部材２０を取付け位置に案内する。そして、図示しないボルト等によって、取付け部材２０を一対の棒状部材１２、１４に固定する。
【００５６】
更に、ナット３０ｆを締め付け、停滞水防止継手３０を取付け部材２０に固定する。また、スプリンクラーヘッド２６を停滞水防止継手３０の雌ネジ部３０ｅにねじ込んで、固定する。
【００５７】
樹脂のホース３２は、ある程度の可撓性があるけれども、長さが決まっているため、停滞水防止継手３０の位置が変化すると、ホースに働く力が変化する。本実施形態では、ホースに働く力が変化する際、ホース３２に働く力が釣り合うように、停滞水防止継手３０が取付け部材２０に対して回転する。従って、ホースに不釣合いな力が働いた状態で停滞水防止継手３０を取付け部材２０に固定することが防止される。
【００５８】
次いで、引張りばね４６の一方の端部を取付け部材２０の延長部２０ｃに引掛け、他方の端部を引張り状態で下カバー４４に引掛ける。手を離すと、下カバー４４は、引張りばね４６によって天井パネル４に押付けられ、開口８が閉鎖される。
【００５９】
変形例として、停滞水防止継手３０及び取付け部材２０を天井パネル４の上に仮置きしている間に、保温カバー４０を開口８を通して導入し、停滞水防止継手３０の周り及びそれとホース３２との接続部の周りに、保温カバー４０を取付けてもよい。
【００６０】
メンテナンスするときは、下カバー４４を外し、必要に応じて、取付け部材２１を固定しているボルト等（図示せず）を外し、取付け部材２０を一対の棒状部材１２、１４の上から例えば天井パネル４の上に移動させる。それにより、天井パネル４の下側から取付け部材２０の上側の配管作業箇所４２等に容易にアクセスすることが可能になる。天井パネル４を外さずにメンテナンスできるので、天井パネル４を外さなければならない場合よりも作業効率を向上させることができる。
【００６１】
また、上述した固定構造及び固定方法では、既存の野縁６を切断することなしに、スプリンクラー装置２を天井パネル４に固定することができる。逆に、既存の野縁６の寸法が分かっているため、一対の棒状部材１２、１４及び取付け部材２０を介してスプリンクラーヘッドの高さ方向位置を予め設定することができる。
【００６２】
また、締付け具５６の回動レバー５６ａが水平方向を越えて下側に回動していることを視認できれば、棒状部材１２、１４が予め設計された力でブラケット６４に押付けられていることを容易に確認することができる。
【００６３】
次に、図面を参照して、本発明による固定装置の取付け部材及び案内手段の変形形態を説明する。図８は、変形例の取付け部材及び案内手段を示す図４と同様の断面図であり、図９は、変形例の取付け部材及び案内手段を示す正面図である。
【００６４】
変形例の取付け部材２１は、スプリンクラー装置２を固定するための下面２１ａ、上面２１ｂ、及び貫通孔２４を有している。貫通孔２４は、取付け部材２１の中央に設けられている。貫通孔２４は、一対の棒状部材１２、１４を橋渡しする方向Ｂに長孔になっていることが好ましい。また、取付け部材２１は、引張りばね４６の一方の端部を支持するために上側に延びる延長部２１ｃを有している。
【００６５】
固定装置１０は、更に、取付け部材２１を予め決められた取付け位置に案内する案内手段を有している。具体的には、取付け部材２１と一方の棒状部材１４とは、チョウバン部品２１ｅ、２２によって互いに回動可能に結合されている。詳細には、チョウバン部品２２は、一方の棒状部材１４の側面に溶接される固定部分２２ａと、固定部分２２ａから棒状部材１４に沿って延びる軸部分２２ｂとを有している。また、チョウバン部品２１ｅは、軸部分２２ｂに嵌合し、それにより、取付け部材２１は、一対の棒状部材１２、１４の間を橋渡しするようにチョウバン部分２１ｅから水平方向に延びる取付け位置（図８において実線で示す）と、一対の棒状部材１２、１４の間を開放するようにチョウバン部分２１ｅから垂直方向に延びる開放位置（図８において２点鎖線で示す）との間を移動可能である。また、他方の棒状部材１２は、長手方向に間隔を隔てた位置に突起４８を有し、取付け部材２１は、上記取付け位置に取付けられるときに突起４８に嵌合する孔２１ｄを有していることが好ましい。突起４８、孔２０ｄ、及びチョウバン部分２１ｅ、２２は、上記案内手段を構成する。
【００６６】
変形例の取付け部材２１を用いる方法では、取付け部材２１を天井パネル４に仮置きする代わりに、取付け部材２１を開放位置に移動させる。
【００６７】
次に、図面を参照して、本発明による固定装置を木製の野縁に取付けるときの変形形態を説明する。図１０は、木製の野縁に取付けられる本発明による固定装置を示す正面図である。
【００６８】
一対の棒状部材１２、１４は、野縁６’に固定されたブラケット６６を介して野縁６’に固定されている。ブラケット６６は、野縁６’の上面に引掛けられる上側水平部６６ａと、上側水平部６６ａから野縁６’の側面に沿って延びる垂直部６６ｂと、垂直部から水平方向に延びる下側水平部６６ｃとを有している。下側水平部６６ｃは、締付け具５６が引掛けられる引掛け部を構成する。
【００６９】
以上、本発明の実施形態を説明したが、本発明は、以上の実施の形態に限定されることなく、特許請求の範囲に記載された発明の範囲内で種々の変更が可能であり、それらも本発明の範囲内に包含されるものであることはいうまでもない。
【符号の説明】
【００７０】
２  スプリンクラー装置
４  天井パネル
６、６’、７  野縁
８  開口
１０  固定装置
１１取付け部材
１２、１４  一対の棒状部材
２０、２１  取付け部材
２０ｄ  孔（案内手段）
２１ｅ、２２  チョウバン部品（案内手段）
２６  スプリンクラーヘッド
２８  スプリンクラー配管
３０  停滞水防止継手（配管接続部、継手）
３２  ホース
３４ａ、３４ｂ  接続ポート
４２  配管作業箇所
４４  下カバー
４６  引張りばね
４８  突起（案内手段）
５６  締付け具
６４  ブラケット
６５  側縁（規制部）
６６  ブラケット
【図１】
2010158469.tif 000003
【図２】
2010158469.tif 000004
【図３】
2010158469.tif 000005
【図４】
2010158469.tif 000006
【図５】
2010158469.tif 000007
【図６】
2010158469.tif 000008
【図７】
2010158469.tif 000009
【図８】
2010158469.tif 000010
【図９】
2010158469.tif 000011
【図１０】
2010158469.tif 000012